(57)【要約】【課題】外観は通常のルアーであるにもかかわらず重量を調整することのできるルアーを提供すること。【解決手段】ライン取着部とフックとを備え、同ライン取着部をライン先端位置に取り付けて生き餌の代わりに水中を泳がせるようにして使用する魚釣り用のルアーにおいて、ルアー本体１２内部に内部スペース１５を形成し開口部１９から所望の量の粒状の錘Ｗを投入する。錘Ｗが内部スペース１５に収容された後に開口部１９にスクリュー蓋２１を装着する。これによってルアーの重量を任意に変更することが可能となったため１つのルアーで条件に応じた最適な釣りをすることが可能となる。【選択図】      図２
2005000100.tif 000002
【特許請求の範囲】
【請求項１】
ライン取着部とフックとを備え、同ライン取着部をライン先端に取り付けて生き餌の代わりに魚釣りに使用するルアーにおいて、
ルアー本体内部に収容スペースを形成して任意の重量の粒状又は粉状の錘部材を収容可能とし、同収容スペースには同ルアー本体外周に開口する開口部を設けるとともに、同開口部には同開口部を封塞する蓋部材を着脱可能に装着したことを特徴とするルアー。
【請求項２】
前記収容スペースは複数あることを特徴とする請求項１に記載のルアー。
【請求項３】
前記複数の収容スペースの前記開口部は１つであることを特徴とする請求項２に記載のルアー。
【発明の詳細な説明】
【０００１】
【発明の属する技術分野】本発明は魚釣りに使用されるルアーに関するものである。
【０００２】
【従来の技術】近年の魚釣りにおいては生き餌の代わりにルアーが使用されることが多くなってきた。ルアーは魚種に応じていろいろな種類が使い分けられている。例えば深い位置に生息する魚を釣りの対象とするのであればそれに応じて沈降性のよい重いルアーを用いる必要がある。逆に上層に生息する魚を釣りの対象とするのであれば沈降せずに水中で極力留まる軽いルアーを用いる必要がある。更に、例えば中層に生息する魚であっても必ずしも一定の水深位置に居るわけではなく、その日の水温や魚自体の大きさ等種々の要因によって異なる水深位置でルアーを操作する必要が生じる。
そのため、ある魚種を狙って所定の形状のルアーを使用して釣りをする場合において従来では重量の異なる同じ外形のルアーをいくつも所持しなくてはならなかった。
【０００３】
【発明が解決しようとする課題】しかしながらこのような場合に同じ外形のルアーを水深に合わせて数多く所持しなくてはならないのは面倒であり、ルアーの経費が嵩んでしまうこととなる。また、ラインに錘をつけてルアーの沈降性を調整することも可能ではあるが、錘を別途取り付けることによってルアー本来の動きを制約することとなり好ましくなかった。
本発明は上記課題を解決するためのものである。その目的は外観は通常のルアーであるにもかかわらず重量を調整することのできるルアーを提供することにある。
【０００４】
【課題を解決するための手段】上記課題を解決するために、請求項１に記載の発明では、ライン取着部とフックとを備え、同ライン取着部をライン先端に取り付けて生き餌の代わりに魚釣りに使用するルアーにおいて、ルアー本体内部に収容スペースを形成して任意の重量の粒状又は粉状の錘部材を収容可能とし、同収容スペースには同ルアー本体外周に開口する開口部を設けるとともに、同開口部には同開口部を封塞する蓋部材を着脱可能に装着したことをその要旨とする。
請求項２に記載の発明では請求項１の発明の構成に加え、前記収容スペースは複数あることをその要旨とする。
請求項３に記載の発明では請求項２の発明の構成に加え、前記複数の収容スペースの前記開口部は１つであることをその要旨とする。
【０００５】
上記のような構成では、ルアー本体内部の収容スペースに開口部から任意の重量の粒状又は粉状の錘部材を収容することで釣り状況に応じた適切な重量のルアーに調整することができる。そして、収容スペースに錘部材を収容した後に開口部を蓋部材によって封塞すると錘部材は外部にこぼれてることがない。ここに、粒状の錘部材は適度に小さく開口部を通過して収容スペースに至るものであればその形状は問わない。また、蓋部材の封塞手段も特に限定されない。
また、収容スペースは１つだけでも複数あってもよい。各収容スペースごとに開口部を設けても複数の収容スペースが共有する共通の開口部を設けてもどちらでもよい。複数の収容スペースが共有する共通の開口部を有している場合には錘部材が他の収容スペースに移動可能なように互いに連通されることとなるが、その場合には蓋部材を開口部に装着した状態で同蓋部材によって移動が阻止されるようになっていることが好ましい。
【０００６】
【発明の効果】以上のように構成することで上記各請求項の発明では、ルアーの重量を任意に変更することが可能となったため１つのルアーで条件に応じた最適な釣りをすることが可能となる。
【０００７】
【発明の実施の形態】
以下、本発明の構造を具体化した実施の形態について図面に基づいて説明する。尚、以下の説明における前とは図１又は図６における左方向をいい、後とは図１又は図６における右方向をいう。
（実施の形態１）
図１〜図３に示すように、本実施の形態１のルアー１１はプラスチック製のルアー本体１２を備え、図２及び図３に示すように内部には隔壁１３ａ，１３ｂで仕切られた３つの内部スペース１４〜１６が形成されている。各内部スペース１４〜１６は互いに空間的なつながりが遮断された個室とされている。本実施の形態１ではルアー１１を魚に見立てた場合において、その腹部から尾部にかけて形成されたもっとも大きい第２の内部スペース１５が収容スペースに相当する。
第２の内部スペース１５には第１及び第３の内部スペース１４，１６（隔壁１３ａ，１３ｂ）に挟持された通路１７が形成されている。通路１７の上部はルアー本体１２上面に開口されており、通路１７の内径よりも若干膨出された開口部１９とされている。図３に示すように、開口部１９周縁は肉厚に形成され、開口部１９に面した通路１７内周面に雌ねじ部２０が形成されている。図３に示すように、開口部１９には蓋部材としてのスクリュー蓋２１が装着されるようになっている。スクリュー蓋２１の本体外周には前記雌ねじ部２０と螺合する雄ねじ部２２が形成されている。スクリュー蓋２１の頭部２１ａには図示しないドライバーにて回動させるための長方形形状の溝２３が凹設されている。図２に示すように、頭部２１ａ裏側には水漏れ防止用のパッキン２４が配設されている。
図２に示すようにスクリュー蓋２１を開口部１９位置にしっかりと装着させた状態で頭部２１ａは開口部１９内に収まり頭部２１ａ表面とルアー本体１２表面とはほぼ面一とされる。
【０００８】
第１及び第３の内部スペース１４，１６は第２の内部スペース１５のような開口部１９は形成されておらず、完全に密封された空間とされている。ルアー本体１２の前端にはライン取着金具２５が埋設され、ライン取着用のアイリング２７が前方に向かって露出されている。ラインアイ２７の下方にはリップ２８が前方斜め下方に向かって突出して形成されている。第１の内部スペース１４と第２の内部スペース１５との境界位置及び第２の内部スペース１５の後端位置にはそれぞれフック取着金具２９が埋設され、フック取着用のアイリング３０がそれぞれ下方及び後方に向かって露出されている。フック３１はこれら２つのアイリング３０に対してスプリットリング３２を介して吊り下げられている。
【０００９】
このように構成された本実施の形態１のルアー１１の作用について説明する。図３に示すように、通常は封塞状態にあるスクリュー蓋２１を回して（つまりねじ２０，２２の螺合状態を解除する）開口部１９から取り外し、使用者のルアーの使用目的に応じて開口部１９から錘部材としての錘Ｗを投入する。例えば浅い位置で使用するのであれば錘Ｗを少な目に、深い位置で使用するのであれば錘Ｗを多めに用いるようにする。錘Ｗは通路１７を伝わって第２の内部スペース１５内に収容される。尚、本実施の形態１における錘Ｗは鉛合金製の球状のものであって、上記通路１７幅よりも小径のものが使用されている。
所定の重量となった段階で再びスクリュー蓋２１を回して開口部１９を封塞する。
【００１０】
このような実施の形態１のルアー１１では次のような効果が奏される。
（１）錘Ｗの量を調整することでルアー１１の重量を容易に変更できるため同一の外観であって重さの異なるルアーをいくつも用意する必要がなく、１つのルアーであっても条件に応じた最適な釣りをすることが可能となる。
（２）スクリュー蓋２１を開口部１９位置にしっかりと装着させた状態で頭部２１ａは開口部１９内に収まり頭部２１ａ表面とルアー本体１２表面とはほぼ面一とされるため、外観は通常の重量の変更できないルアーとなんら異なることはなく使いやすい。
【００１１】
（実施の形態２）
本実施の形態２では実施の形態１と共通する部材については共通の符号を付すことで詳しい説明は省略する。
図４及び図５に示すように、実施の形態２のルアー１１のルアー本体１２は３つの内部スペース１４〜１６は隔壁１３ａ，１３ｂによって仕切られているものの、実施の形態１のように個室として完全に遮断されてはいない。図５に示すようにルアー本体１２の前方上部の開口部１９に面した位置において３つの内部スペース１４〜１６は連通状態とされている。本実施の形態２ではこの連通位置の空間を連通部３５とする。本実施の形態２では３つの内部スペース１４〜１６とも収容スペースに相当する。図４に示すように、実施の形態２における蓋部材としてのスクリュー蓋３７は上記実施の形態１のスクリュー蓋２１の先端に円筒状の延長部３８が追加形成されている。そして、図４のように装着状態で延長部３８は連通部３５に進出させられるようになっている。実施の形態１と同様スクリュー蓋３７を開口部１９位置にしっかりと装着させた状態で頭部３７ａは開口部１９内に収まり頭部３７ａ表面とルアー本体１２表面とはほぼ面一とされる。
【００１２】
このように構成された本実施の形態２のルアー１１の作用について説明する。実施の形態１と同様にスクリュー蓋３７を回して開口部１９から取り外し、使用者のルアーの使用目的に応じて上記実施の形態１と同様開口部１９から錘部材としての錘Ｗを投入する。この時、３つの内部スペース１４〜１６は連通部３５によって互いにつながっているため、それぞれの内部スペース１４〜１６に錘Ｗを収容するに際して若干の技量が必要となる。すなわち使用者はまず図５におけるＰ方向を下方にして第１の内部スペース１４に錘Ｗを収容させる。
次いで、Ｑ方向、つまり図５に示す原位置に対して若干後傾となる位置において第２の内部スペース１５に錘Ｗを収容させる。この状態では第１の内部スペース１４に収容された錘Ｗは立設状態に配置された隔壁１３ａによって遮蔽されているため第２の内部スペース１５方向にこぼれ落ちてしまうことはない（但し所定数以上に収容すればこぼれてしまう）。
最後にＲ方向を下方にして第３の内部スペース１６に錘Ｗを収容させる。Ｒ方向を下方にした場合でも隔壁１３ａはＲ方向となす角度が鋭角とされているため第１の内部スペース１４に収容された錘Ｗが第２の内部スペース１５方向にこぼれ落ちてしまうことはない。また、第２の内部スペース１５は第３の内部スペース１６と立設状態に配置された隔壁１３ｂによって遮蔽されるため錘Ｗは第２の内部スペース１５方向にこぼれ落ちてしまうことはない（但し所定数以上に収容すればこぼれてしまう）。この時、傾けすぎて隔壁１３ａ先端が水平位置よりも下がれば第１の内部スペース１４に収容された錘Ｗは第２の内部スペース１５にこぼれ落ちてしまうので注意が必要である。つまり、３つの内部スペース１４〜１６はＰ方向から順にＱ方向、Ｒ方向と下方位置を回転させるように変更し錘Ｗを投入していくことで第１〜第３の内部スペース１４〜１６の順に間違いなく所望の数の錘Ｗを収容させることが可能となっている。このようにして使用者はルアー内部の錘Ｗの重量配分を調整していく。
また、内部スペース１４〜１６内部で積極的に効果音を出させるために図４に示すようないわゆるラトルＲを収容するようにしてもよい。ラトルＲは錘Ｗよりも小振りな錘部材の一種であり、周囲に当接して発する音で集魚する。
所定の重量となった段階で再びスクリュー蓋３７を回して開口部１９を封塞する。この状態で図４に示すようにスクリュー蓋３７の延長部３８が連通部３５に進出させられるためこれが邪魔となって各内部スペース１４〜１６の錘ＷやラトルＲの移動はできなくなる。
【００１３】
このような実施の形態２のルアー１１では上記実施の形態１の効果に加えて次のような効果が奏される。
（１）３つの内部スペース１４〜１６に錘ＷやラトルＲを収容させる場合に１つの開口部１９から投入することができ、構造が簡単になるとともに蓋部材が複数不要になるため作業効率も向上する。
（２）スクリュー蓋３７をするだけで３つの内部スペース１４〜１６に収容された錘ＷやラトルＲの移動ができなくなるため、設定した重量配分がルアー１１の使用によって変わってしまうことがない。また、移動防止手段としてはスクリュー蓋３７をするだけでよいため作業効率が向上する。
（３）開口部１９の位置と３つの内部スペース１４〜１６を仕切る隔壁１３ａ，１３ｂの位置の関係がちょうどよく配置されているため、ルアー本体１２を一方向に回転させながら錘Ｗ等を投入すれば３つの内部スペース１４〜１６に正確に錘Ｗ等を収容させることが可能となっている。
【００１４】
（実施の形態３）
本実施の形態３では実施の形態１と共通する部材については共通の符号を付すことで詳しい説明は省略する。
図６及び図７に示すように、実施の形態３のルアー１１のルアー本体１２は３つの内部スペース４１〜４３が隔壁４４ａ，４４ｂによって仕切られている。内部スペース４１〜４３は互いに空間的なつながりが遮断された個室とされている。本実施の形態３では下部に前後方向に延びるもっとも大きい第３の内部スペース４３が収容スペースに相当する。
第３の内部スペース４３には第１及び第３の内部スペース４１，４２（隔壁４４ａ，４４ｂ）に挟持された通路４５が形成されている。通路４５の上部はルアー本体１２上面に開口されており、通路４５の内径よりも若干膨出された開口部１９とされている。通路４５内周面には図示しない蓋部材としてのスクリュー蓋２１の雄ねじ部と螺合する雌ねじ部４６が形成されている。
第３の内部スペース４３の底面には前後を区画する立設壁４７が形成されている。立設壁４７を挟んで前側を前室４３ａ、後側を後室４３ｂとする。立設壁４７の上部には前後に傾動するレバー４８が配設されている。レバー４８が前方に傾動することで開口部１９から投入された錘Ｗは第３の内部スペース４３の後室４３ｂに、逆にレバー４８が後方に傾動することで前室４３ａに導かれることとなっている。
【００１５】
このように構成された本実施の形態３のルアー１１の作用について説明する。実施の形態１又は２と同様にスクリュー蓋を回して開口部１９から取り外し、使用者のルアーの使用目的に応じて上記実施の形態１又は２と同様開口部１９から錘部材としての錘Ｗを投入する。この時、レバー４８を前方に傾動させれば開口部１９から投入された錘Ｗはすべて第３の内部スペース４３の後室４３ｂ側に導かれる。一方、レバー４８を後方に傾動させれば錘Ｗはすべて第３の内部スペース４３の前室４３ａ側に導かれる。もっとも、スクリュー蓋を外したこの状態ではレバー４８位置を変更して通路４５を介して錘Ｗを前後移動させることは可能である。使用者はルアー１１の前後のバランスを考慮しながら錘Ｗを投入していく。尚、レバー４８の位置の変更はルアー１１を把持して反動をつけることで傾動方向を変えることが可能であるが、棒状の器具や指を使用して傾動させることは可能である。
所定の重量となった段階で再びスクリュー蓋によって開口部１９を封塞する。スクリュー蓋を装着することでレバー４８の上部空間（通路４５）が塞がれ錘Ｗの前後３７の移動はできなくなる。
【００１６】
このような実施の形態３のルアー１１では上記実施の形態１の効果に加えて次のような効果が奏される。
（１）第３の内部スペース４３の前室４３ａ及び後室４３ｂにそれぞれ錘Ｗを収容させる場合に１つの開口部１９から投入することができ、構造が簡単になるとともに蓋部材が複数不要になるため作業効率も向上する。
（２）スクリュー蓋をするだけで前室４３ａ及び後室４３ｂに収容された錘Ｗの移動ができなくなるため、設定した前後の重量配分がルアー１１の使用によって変わってしまうことがない。また、移動防止手段としてはスクリュー蓋をするだけでよいため作業効率が向上する。
【００１７】
上記実施の形態は、以下のように具体化されてもよい。
・内部スペースの大きさ、数又は形状は上記に限定されるものではない。
・ライン取着用のラインアイ２７の位置やフック３１の位置や数は上記各実施の形態に限定されるものではない。
・フック２２の形状は上記実施の形態に限定されることはない。
・上記各実施の形態のルアー本体１２の形状は一例であって、水中での動作に変化を持たせるために他の形状で構成することは自由である。
・蓋部材としては上記各実施の形態ではスクリュー蓋２１，３７を使用したが、その他の形状の蓋部材を使用しても構わない。
・錘部材は上記のように粒状でなくとも粉状であっても構わない。
・ラトルＲは実施の形態１又は３に使用しても構わない。
その他、本発明の趣旨を逸脱しない範囲において変更した態様で実施することは自由である。
【００１８】
本発明の目的を達成するために上記実施の形態から把握できるその他の技術的思想について下記に付記として説明する。
（１）  前記開口部の下流には誘導部材が配設され、同誘導部材は自身の姿勢を変化させることで異なる２以上の収容スペースに投入された前記錘部材を導くことが可能されていることを特徴とする請求項３に記載のルアー。
上記レバー４８がこれに相当する。レバー４８は第１の位置と第２の位置の２つの姿勢をとるようになっている。実施の形態では変化とは「回動」することを意味している。
（２）  前記複数の収容スペースは少なくとも前記ルアー本体の前方位置と後方位置に配設されていることを特徴とする請求項２又は３若しくは付記１のいずれかに記載のルアー。
（３）  前記開口部は前記ルアー本体の上面位置に形成されていることを特徴とする請求項１〜３若しくは付記１又は２のいずれかに記載のルアー。
付記３
（４）前記錘部材は粒状あるいは粉状とされていることを特徴とする請求項１〜３若しくは付記１〜３のいずれかに記載のルアー。
【００１９】
【図面の簡単な説明】
【図１】本発明の実施の形態１及び２のルアーの側面図。
【図２】実施の形態１のルアーの側断面図。
【図３】同じルアーへのスクリュー蓋の装着方法を説明する斜視図。
【図４】実施の形態２のルアーの側断面図（スクリュー蓋を閉めた状態）。
【図５】実施の形態２のルアーの側断面図（スクリュー蓋を外した状態）。
【図６】本発明の実施の形態３のルアーの側面図。
【図７】実施の形態１のルアーの側断面図。
【符号の説明】
１１…ルアー、１２…ルアー本体、１４〜１６、４１〜４３…収容スペース、１９…開口部、２１，３７…蓋部材としてのスクリュー蓋。
【図１】
2005000100.tif 000003
【図２】
2005000100.tif 000004
【図３】
2005000100.tif 000005
【図４】
2005000100.tif 000006
【図５】
2005000100.tif 000007
【図６】
2005000100.tif 000008
【図７】
2005000100.tif 000009